(57)【要約】【課題】液晶モジュールの上で撮像された画像に重ねてＯＳＤ表示する機能を有するデジタルカメラにおいて、カメラ単体でのＯＳＤ表示を簡素かつ低コストな構成で可能とする。【解決手段】赤色比較回路２１、緑色比較回路２２及び青色比較回路２３は、各色のＯＳＤデータの値Ａと所定の閾値Ｂとを比較して、Ａ＞Ｂであるとき、そのドットにＯＳＤデータが存在すると判定し、その旨の信号をＯＲ回路２４に出力する。ＯＲ回路２４は、赤色比較回路２１、緑色比較回路２２及び青色比較回路２３のうち、いずれか１つの回路からＯＳＤデータが存在する旨の信号が入力された場合、セレクタ部２５にＯＳＤデータを選択すべき旨の信号を出力する。セレクタ部２５は、ＯＲ回路２４から出力された信号に応じて、ＯＳＤデータ又はサムネイル画像データのいずれかを選択する。【選択図】図３
2006246411.tif 000002
【特許請求の範囲】
【請求項１】
被写体を撮像するための撮像素子と、この撮像素子によって撮像された画像データを記憶する撮像画像データ記憶手段と、この撮像画像データ記憶手段に記憶されている画像データに基いて所定サイズのサムネイル画像を表示するためのサムネイル画像データを作成するサムネイル画像データ作成手段と、このサムネイル画像データ作成手段によって作成されたサムネイル画像データを記憶するサムネイル画像データ記憶手段と、このサムネイル画像データ記憶手段に記憶されているサムネイル画像データを用いてサムネイル画像を表示する液晶表示手段と、この液晶表示手段を制御する液晶制御手段と、前記液晶表示手段にＯＳＤ表示させるためのＯＳＤデータを記憶するＯＳＤデータ記憶手段とを備えたデジタルカメラにおいて、
前記液晶表示手段の各ドットの各色毎に、前記ＯＳＤデータ記憶手段に記憶されたＯＳＤデータの値と所定の閾値とを比較するＯＳＤデータ比較手段と、
前記ＯＳＤデータ比較手段によってＯＳＤデータの値が前記閾値よりも大きいと判定されたドットについては、前記ＯＳＤデータ記憶手段に記憶されているＯＳＤデータを選択し、ＯＳＤデータの値が前記閾値よりも小さいと判定されたドットについては、前記サムネイル画像データ記憶手段に記憶されているサムネイル画像データを選択して、前記液晶制御手段に出力するデータ選択手段とをさらに備え、
簡素な構成でありながらも、前記液晶表示手段上でサムネイル画像に重ねてＯＳＤ表示できるようにしたことを特徴とするデジタルカメラ。
【請求項２】
被写体を撮像するための撮像素子と、この撮像素子によって撮像された画像データを記憶する画像データ記憶手段と、この画像データ記憶手段に記憶されている画像データを用いて画像を表示する画像表示手段と、この画像表示手段にＯＳＤ表示させるためのＯＳＤデータを記憶するＯＳＤデータ記憶手段とを備えたデジタルカメラにおいて、
前記画像表示手段の各ドット毎に、前記ＯＳＤデータ記憶手段に記憶されたＯＳＤデータの値と所定の閾値とを比較するＯＳＤデータ比較手段と、
前記ＯＳＤデータ比較手段によってＯＳＤデータの値が前記閾値よりも大きいと判定されたドットについては、前記ＯＳＤデータ記憶手段に記憶されているＯＳＤデータを選択し、ＯＳＤデータの値が前記閾値よりも小さいと判定されたドットについては、前記画像データ記憶手段に記憶されている画像データを選択して、前記画像表示手段に出力するデータ選択手段とをさらに備え、
簡素な構成でありながらも、前記画像表示手段上で撮像された画像に重ねてＯＳＤ表示できるようにしたことを特徴とするデジタルカメラ。
【請求項３】
前記ＯＳＤデータ手段によって前記閾値と比較されるＯＳＤデータが、各ドットの輝度を示す輝度データであることを特徴とする請求項２に記載のデジタルカメラ。
【発明の詳細な説明】
【技術分野】
【０００１】
本発明は、液晶モジュールの上で撮像された画像に重ねてＯＳＤ表示する機能を有するデジタルカメラに関するものである。
【背景技術】
【０００２】
従来から、撮像した画像を電子データとして記録するデジタルカメラにおいては、ユーザが撮像画像の概略を確認できるように、カメラ本体に設けられている液晶モジュールに撮像画像のサムネイル画像が表示されるように構成されている。特許文献１には、パーソナルコンピュータとの連携処理によってサムネイル画像に任意の文字列を重ねてＯＳＤ表示できるようにしたものが示されている。
【特許文献１】特開２００４−２４１９６４号公報
【発明の開示】
【発明が解決しようとする課題】
【０００３】
しかしながら、上記特許文献１に示されたデジタルカメラにおいては、文字列の表示のためにパーソナルコンピュータが必要となり、カメラ単体で撮像画像に重ねてＯＳＤ表示させることができない。また、ユーザがパーソナルコンピュータの操作に習熟する必要があり、特に機械の操作について苦手意識を持っている老人等には使いこなせないことが多い。また、上記機能をカメラ単体で実現しようとすると、デジタルカメラの構成が複雑となりコストアップは免れない。
【０００４】
本発明は、上記課題を解決するためになされたものであり、カメラ単体でＯＳＤ表示が可能な使い勝手に優れたデジタルカメラを、簡素な構成かつ低いコストで提供することを目的とする。
【課題を解決するための手段】
【０００５】
上記目的を達成するために請求項１の発明は、被写体を撮像するための撮像素子と、この撮像素子によって撮像された画像データを記憶する撮像画像データ記憶手段と、この撮像画像データ記憶手段に記憶されている画像データに基いて所定サイズのサムネイル画像を表示するためのサムネイル画像データを作成するサムネイル画像データ作成手段と、このサムネイル画像データ作成手段によって作成されたサムネイル画像データを記憶するサムネイル画像データ記憶手段と、このサムネイル画像データ記憶手段に記憶されているサムネイル画像データを用いてサムネイル画像を表示する液晶表示手段と、この液晶表示手段を制御する液晶制御手段と、液晶表示手段にＯＳＤ表示させるためのＯＳＤデータを記憶するＯＳＤデータ記憶手段とを備えたデジタルカメラにおいて、液晶表示手段の各ドットの各色毎に、ＯＳＤデータ記憶手段に記憶されたＯＳＤデータの値と所定の閾値とを比較するＯＳＤデータ比較手段と、ＯＳＤデータ比較手段によってＯＳＤデータの値が閾値よりも大きいと判定されたドットについては、ＯＳＤデータ記憶手段に記憶されているＯＳＤデータを選択し、ＯＳＤデータの値が閾値よりも小さいと判定されたドットについては、サムネイル画像データ記憶手段に記憶されているサムネイル画像データを選択して、液晶制御手段に出力するデータ選択手段とをさらに備え、簡素な構成でありながらも、液晶表示手段上でサムネイル画像に重ねてＯＳＤ表示できるようにしたものである。
【０００６】
請求項２の発明は、被写体を撮像するための撮像素子と、この撮像素子によって撮像された画像データを記憶する画像データ記憶手段と、この画像データ記憶手段に記憶されている画像データを用いて画像を表示する画像表示手段と、この画像表示手段にＯＳＤ表示させるためのＯＳＤデータを記憶するＯＳＤデータ記憶手段とを備えたデジタルカメラにおいて、画像表示手段の各ドット毎に、ＯＳＤデータ記憶手段に記憶されたＯＳＤデータの値と所定の閾値とを比較するＯＳＤデータ比較手段と、ＯＳＤデータ比較手段によってＯＳＤデータの値が閾値よりも大きいと判定されたドットについては、ＯＳＤデータ記憶手段に記憶されているＯＳＤデータを選択し、ＯＳＤデータの値が閾値よりも小さいと判定されたドットについては、画像データ記憶手段に記憶されている画像データを選択して、画像表示手段に出力するデータ選択手段とをさらに備え、簡素な構成でありながらも、画像表示手段上で撮像された画像に重ねてＯＳＤ表示できるようにしたものである。
【０００７】
請求項３の発明は、請求項２に記載のデジタルカメラにおいて、ＯＳＤデータ手段によって閾値と比較されるＯＳＤデータが各ドットの輝度を示す輝度データとされるものである。
【発明の効果】
【０００８】
請求項１の発明によれば、ＯＳＤデータ比較手段が液晶表示手段の各ドットの各色毎にＯＳＤデータの値と所定の閾値とを比較することにより、ＯＳＤデータの有無が判定される。すなわち、いずれかの色のＯＳＤデータの値が閾値よりも大きいドットは、ＯＳＤデータ比較手段によってＯＳＤデータが存在すると判定され、データ選択手段によってＯＳＤデータが選択されて液晶制御手段に出力される。一方、全ての色のＯＳＤデータの値が閾値よりも小さいドットは、ＯＳＤデータ比較手段によってＯＳＤデータが存在しないと判定され、データ選択手段によってサムネイル画像データが選択される。全てのドットについてこのような処理を行うことにより、サムネイル画像データとＯＳＤデータとが合成された新たなデータが作成される。このデータを液晶表示手段上で再生することにより、簡素な構成でありながらも、液晶表示手段上でサムネイル画像に重ねてＯＳＤ表示できるようになり、使い勝手に優れたデジタルカメラを低いコストで製造できるようになる。
【０００９】
請求項２の発明によれば、ＯＳＤデータ比較手段が画像表示手段の各ドット毎にＯＳＤデータの値と所定の閾値とを比較することにより、ＯＳＤデータの有無が判定される。すなわち、ＯＳＤデータの値が閾値よりも大きいドットは、ＯＳＤデータ比較手段によってＯＳＤデータが存在すると判定され、データ選択手段によってＯＳＤデータが選択される。一方、ＯＳＤデータの値が閾値よりも小さいドットは、ＯＳＤデータ比較手段によってＯＳＤデータが存在しないと判定され、データ選択手段によって画像データが選択される。全てのドットについてこのような処理を行うことにより、画像データとＯＳＤデータとが合成された新たなデータが作成される。このデータを画像表示手段上で再生することにより、簡素な構成でありながらも、画像表示手段上で撮像された画像に重ねてＯＳＤ表示できるようになり、使い勝手に優れたデジタルカメラを低いコストで製造できるようになる。
【００１０】
請求項３の発明によれば、所定の閾値と比較されるＯＳＤデータが各ドットの輝度を示す輝度データであるので、各色毎にＯＳＤデータの値と閾値とを比較する必要がなくなり、各ドットにおけるＯＳＤデータの有無を迅速に判定することができる。
【発明を実施するための最良の形態】
【００１１】
本発明の一実施形態によるデジタルカメラについて図面を参照して説明する。図１はデジタルカメラの構成を示している。デジタルカメラ１は、被写体を撮像するためのＣＣＤ（Charge Coupled Device：撮像素子）２と、ＣＣＤ２によって撮像された画像データを記憶一時的に記憶するＲＡＭ(Random Access Memory)３と、ＲＡＭ３に記憶された画像データを記憶するための取り外し可能なカード型メモリ(撮像画像データ記憶手段)４と、液晶モジュール７に表示する画像データを記憶するための液晶表示用ＲＡＭ５と、液晶表示用ＲＡＭ５に記憶されている画像データを処理するためのＡＳＩＣ６と、画像データを表示する液晶モジュール（液晶表示手段、画像表示手段）７と、液晶モジュール７を制御する液晶コントローラ（液晶制御手段）８と、上記各部の制御を司る制御部９(サムネイル画像データ作成手段)等を有している。
【００１２】
液晶表示用ＲＡＭ５は、カード型メモリ４に記憶されている画像データに基いて作成されたサムネイル画像データを記憶するピクチャーマップ部(サムネイル画像データ記憶手段)１１と、液晶モジュール７にＯＳＤ表示させるためのＯＳＤデータを記憶するＯＳＤマップ部(ＯＳＤデータ記憶手段)１２とを有している。ＯＳＤマップ部１２に記憶されているＯＳＤデータとは、例えば、撮影日付、デジタルカメラ１の操作に必要な文字列及びアイコン、撮像画像を装飾するための画像データ等である。これらのＯＳＤデータは、デジタルカメラ１に別途設けられているＲＯＭに格納されており、制御部９からの指令を受けて必要に応じてＯＳＤマップ部１２に転送される。
【００１３】
ＡＳＩＣ６は、液晶表示用ＲＡＭ５又はカード型メモリ４から必要な画像データ及びＯＳＤデータを読み出すためのメモリコントローラ１３と、メモリコントローラ１３によって読み出された画像データ及びＯＳＤデータの色調整を行う色調整回路１４と、メモリコントローラ１３によって読み出された画像データ又はＯＳＤデータのうち、各ドットごとにいずれかのデータを選択し、液晶コントローラ８又はＤ／Ａ変換回路１６に出力するデータセレクト回路(ＯＳＤデータ比較手段、データ選択手段)１５と、データセレクト回路１５から出力されたデジタルデータをアナログデータに変換するＤ／Ａ変換回路１６と、Ｄ／Ａ変換回路１６によってアナログ変換されたデータをＣＶＢＳビデオ信号に変換するエンコーダ１７等を有している。エンコーダ１７の映像出力端子とアナログテレビジョン受像機の映像入力端子とをＲＣＡケーブルを介して接続することにより、撮像した画像をテレビジョン受像機の画面に出力することができる。なお、データセレクト回路１５は、色調整回路１４によって調整されたサムネイル画像データ又はＯＳＤデータのうち、各ドット毎にいずれかのデータを選択し、液晶コントローラ８又はＤ／Ａ変換回路１６に出力することもできる。
【００１４】
図２は、ピクチャーマップ部１１、及びＯＳＤマップ部１２とそれらマップ上における任意のドットを概念的に示している。本実施形態のデジタルカメラ１の液晶コントローラ８は、６８０ドット×４８０ドットの解像度を有しており、これに対応する８ビット（２５６階調）のサムネイル画像データ及びＯＳＤデータがピクチャーマップ部１１及びＯＳＤマップ部１２に記憶されている。データセレクト回路１５は、各ドット毎にＯＳＤマップ部１２を参照してＯＳＤデータの有無を判定する。ＯＳＤデータの有無は、ＯＳＤマップ部１２における左上端のドットから順次判定される。その結果、ＯＳＤデータが存在すると判定されたドットは、ＯＳＤマップ部１２に記憶されているＯＳＤデータが選択されて、液晶コントローラ８又はＤ／Ａ変換回路１６に出力される。一方、ＯＳＤデータが存在しないと判定されたドットはピクチャーマップ部１１に記憶されているサムネイル画像データが選択されて、液晶コントローラ８又はＤ／Ａ変換回路１６に出力される。
【００１５】
図３は、データセレクト回路１５の回路構成を示している。データセレクト回路１５は、赤色のＯＳＤデータと所定の閾値とを比較する赤色比較回路２１と、緑色のＯＳＤデータと所定の閾値とを比較する緑色比較回路２２と、青色のＯＳＤデータと所定の閾値とを比較する青色比較回路２３と、赤色比較回路２１、緑色比較回路２２及び青色比較回路２３のから出力される信号に応じて動作するＯＲ回路２４と、ＯＲ回路２４から出力される出力信号に応じてＯＳＤデータ又は画像データを選択するセレクタ部２５等を有している。赤色比較回路２１、緑色比較回路２２及び青色比較回路２３に入力される閾値Ｂは、液晶表示用ＲＡＭ５等に記憶されている。赤色比較回路２１は、赤色のＯＳＤデータの値Ａと所定の閾値Ｂとを比較して、赤色のＯＳＤデータの値Ａが閾値Ｂよりも大きいときそのドットにＯＳＤデータが存在すると判定し、その旨の信号をＯＲ回路２４に出力する。緑色比較回路２２及び青色比較回路２３も、緑色のＯＳＤデータの値Ａ及び青色のＯＳＤデータの値Ａについて同様の判定を行う。ＯＲ回路２４は、赤色比較回路２１、緑色比較回路２２及び青色比較回路２３のうち、いずれか１つの回路からＯＳＤデータが存在する旨の信号が入力された場合、セレクタ部２５にＯＳＤデータを選択すべき旨の信号を出力する。セレクタ部２５は、ＯＲ回路２４からＯＳＤデータを選択すべき旨の信号が出力されたときＯＳＤデータを選択し、該信号が出力されなかったときサムネイル画像データを選択する。
【００１６】
以上のように、本実施形態のデジタルカメラ１によれば、データセレクト回路１５が液晶モジュール７の各ドットの各色毎にＯＳＤデータの値Ａと所定の閾値Ｂとを比較して、ＯＳＤデータの有無を判定する。すなわち、ＯＳＤデータの値Ａが閾値Ｂよりも大きいドットは、ＯＳＤデータが存在すると判定され、ＯＳＤデータが選択されて液晶コントローラ８に出力される。一方、ＯＳＤデータの値Ａが閾値Ｂよりも小さいドットは、ＯＳＤデータが存在しないと判定され、サムネイル画像データが選択される。全てのドットについてこのような処理を行うことにより、サムネイル画像データとＯＳＤデータとが合成された新たなデータが作成される。このデータを液晶モジュール７の画面上で再生することにより、簡素な構成でありながらも、液晶モジュール７の上でサムネイル画像に重ねてＯＳＤ表示できるようになり、使い勝手に優れたデジタルカメラを低いコストで製造できるようになる。
【００１７】
なお、本発明は上記実施形態の構成に限られることなく、少なくとも各ドット毎にＯＳＤデータと所定の閾値を比較することにより、ＯＳＤデータの有無を判定し、ＯＳＤデータ又は画像データを選択するように構成されていればよい。従って、画像データは、サムネイル画像データに限られることなく、ＣＣＤ２によって撮像された画像データそのものであってもよく、またカード型メモリ４を介してパーソナルコンピュータ等から入力された画像データであってもよい。また、本発明は種々の変形が可能であり、例えば、ＯＳＤデータの各色の値と所定の閾値とを比較する替わりに、ＯＳＤデータの輝度データと所定の閾値とを比較するようにしてもよい。この場合は、各ドットにおけるＯＳＤデータの有無を迅速に判定することができ、液晶モジュール７の表示に要する時間を短縮できる。
【図面の簡単な説明】
【００１８】
【図１】本発明の一実施形態によるデジタルカメラの電気的構成を示すブロック図。
【図２】ピクチャーマップ部及びＯＳＤマップ部とそれらの上における任意のドットを概念的に示す図。
【図３】データセレクト回路の構成を示す図。
【符号の説明】
【００１９】
１    デジタルカメラ
２    ＣＣＤ（撮像素子）
４    カード型メモリ(撮像画像データ記憶手段)
７    液晶モジュール（液晶表示手段、画像表示手段）
８    液晶コントローラ（液晶制御手段）
９    制御部(サムネイル画像データ作成手段)
１１    ピクチャーマップ部(サムネイル画像データ記憶手段)
１２    ＯＳＤマップ部(ＯＳＤデータ記憶手段)
１５    データセレクト回路(ＯＳＤデータ比較手段、データ選択手段)
【図１】
2006246411.tif 000003
【図２】
2006246411.tif 000004
【図３】
2006246411.tif 000005